(57)【特許請求の範囲】
【請求項１】
走行用の動力を出力可能な内燃機関および走行用の動力を出力可能な電動機を備え、これら内燃機関および電動機のうち少なくとも一つを走行駆動力源として走行可能であるとともに、蓄電装置に蓄電された電力を使用し前記電動機のみを走行駆動力源として走行した場合における電力消費率を算出することで電力消費率の学習が可能なプラグインハイブリッド車両において、
登坂路および降坂路のうち少なくとも一方での走行に対し、その走行にともなって内燃機関が駆動する場合の駆動頻度が、予め設定された所定頻度よりも高い場合には、前記電力消費率の算出値、または、その電力消費率を算出するために取得した情報を無効にする構成となっていることを特徴とするプラグインハイブリッド車両。
【請求項２】
請求項１記載のプラグインハイブリッド車両において、
前記蓄電装置は外部電源からの充電が可能となっており、
前記電力消費率の学習は、前記蓄電装置に対して外部電源からの充電が行われて車両が走行した後、次に、前記外部電源によって蓄電装置が充電されるまでの期間において、前記電動機のみを走行駆動力源として走行した期間での電力消費量および走行距離に基づいて算出された電力消費率を反映させることにより行われるものであることを特徴とするプラグインハイブリッド車両。
【請求項３】
請求項１または２記載のプラグインハイブリッド車両において、
電力消費率の学習値に、前記蓄電装置の蓄電残量を乗算することにより、前記電動機のみを走行駆動力源として走行する場合の走行可能距離を算出する構成となっていることを特徴とするプラグインハイブリッド車両。
【請求項４】
請求項１、２または３記載のプラグインハイブリッド車両において、
前記内燃機関が駆動する場合の駆動頻度とは、内燃機関の駆動積算時間であって、この内燃機関の駆動積算時間が、予め設定された所定積算時間よりも長い場合には、前記電力消費率の算出値、または、その電力消費率を算出するために取得した情報を無効にする構成となっていることを特徴とするプラグインハイブリッド車両。
【請求項５】
請求項１、２または３記載のプラグインハイブリッド車両において、
前記内燃機関が駆動する場合の駆動頻度とは、１トリップ中における総走行時間に対する内燃機関の駆動積算時間の割合であって、この内燃機関の駆動積算時間の割合が、予め設定された所定割合よりも大きい場合には、前記電力消費率の算出値、または、その電力消費率を算出するために取得した情報を無効にする構成となっていることを特徴とするプラグインハイブリッド車両。
【請求項６】
請求項１、２または３記載のプラグインハイブリッド車両において、
前記内燃機関が駆動する場合の駆動頻度とは、内燃機関の駆動回数であって、この内燃機関の駆動回数が、予め設定された所定回数よりも多い場合には、前記電力消費率の算出値、または、その電力消費率を算出するために取得した情報を無効にする構成となっていることを特徴とするプラグインハイブリッド車両。
【請求項７】
請求項１〜６のうち何れか一つに記載のプラグインハイブリッド車両において、
前記電動機の動力のみを走行駆動力源とする走行を優先的に行う第１の走行モードでの走行と、前記電動機および内燃機関の両方の動力を走行駆動力源とする走行を優先的に行う第２の走行モードでの走行とが可能となっており、
前記電力消費率の学習は、前記第１の走行モードにおいて電動機の動力のみを走行駆動力源として走行した期間における電力消費量および走行距離に基づいて算出された電力消費率を反映させることにより行われるものであることを特徴とするプラグインハイブリッド車両。
【請求項８】
請求項７記載のプラグインハイブリッド車両において、
前記蓄電装置に蓄電されている電力量が所定量以上である場合には前記第１の走行モードでの走行が行われ、前記蓄電装置に蓄電されている電力量が所定量未満である場合には前記第２の走行モードでの走行が行われる構成となっていることを特徴とするプラグインハイブリッド車両。
【発明の詳細な説明】
【技術分野】
【０００１】
本発明は、外部電源により走行用蓄電装置（以下、「走行用バッテリ」、または、単に「バッテリ」という場合もある）の充電が可能なプラグインハイブリッド車両に係る。特に、本発明は、電力消費率（以下、単に「電費」という場合もある）の算出手法の改良に関する。なお、本明細書でいう「１トリップ」とは、外部電源による走行用バッテリの充電（プラグイン充電）が終了して車両の走行が開始してから、次回のプラグイン充電が開始されるまでの期間をいう。
【背景技術】
【０００２】
近年、環境保護の観点から、車両に搭載された内燃機関（以下、「エンジン」と呼ぶ場合もある）からの排気ガスの排出量低減や燃料消費率（燃費）の改善が望まれており、これらを満足する車両として、ハイブリッドシステムを搭載したハイブリッド車両が実用化されている。このハイブリッド車両は、ガソリンエンジンやディーゼルエンジンなどのエンジンと、このエンジンの出力により発電された電力や走行用バッテリに蓄えられた電力により駆動する走行用モータ（例えばモータジェネレータまたはモータにより構成される）とを備え、これらエンジンおよび走行用モータのいずれか一方または双方を走行駆動力源として利用しながら走行する。
【０００３】
そして、近年、走行用モータに電力を供給する走行用バッテリに対し、家庭用電源などの車両外部の電源（外部電源）からの電力により充電することが可能なハイブリッド車両（いわゆるプラグインハイブリッド車両）が開発されている。
【０００４】
このプラグインハイブリッド車両は、燃料消費率の大幅な改善を図るべく、走行用バッテリの電力を優先的に用いて走行することを前提として設計されている。例えば、下記の特許文献１および特許文献２に開示されているように、プラグインハイブリッド車両の走行モードを、走行用バッテリの蓄電量が所定値に減少するまでは、走行用モータの動力のみでの走行を優先的に行うモード（一般に、「ＣＤ（Ｃｈａｒｇｅ  Ｄｅｐｌｅｔｉｎｇ）モード」または「ＥＶ（Ｅｌｅｃｔｒｉｃ  Ｖｅｈｉｃｌｅ）モード」と呼ばれる）とし、走行用バッテリの蓄電量が前記所定値未満となったときには、エンジンおよび走行用モータの両方の動力を用いた走行を優先的に行うモード（一般に、「ＣＳ（Ｃｈａｒｇｅ  Ｓｕｓｔａｉｎ）モード」または「ＨＶ（Ｈｙｂｒｉｄ  Ｖｅｈｉｃｌｅ）モード」と呼ばれる）に移行させるようにしている。
【０００５】
また、このプラグインハイブリッド車両にあっては、前記ＣＤモードにおいて走行用モータの動力のみで走行する場合に、現在の走行用バッテリの蓄電量（蓄電残量）での走行可能距離を算出し、その情報をメータパネル（インストルメントパネル）上に表示するようになっている。より具体的には、過去の走行状況（電力消費量と走行距離との関係）から電費を算出する（電費学習を行う）。この電費は、単位電力量あたりの走行距離である。そして、この電費に、走行用バッテリの蓄電量（前記ＣＳモードに移行される所定値に達するまで使用可能な電力量）を乗算することによって走行可能距離が算出されることになる。
【０００６】
また、下記の特許文献３には、電費の算出手法として、特定の道路区間を走行する際の駆動力伝達系の仕事率に基づいて電費を算出することが開示されている。
【先行技術文献】
【特許文献】
【０００７】
【特許文献１】特開２０１１−５１３９５号公報
【特許文献２】特開２０１１−２２５０９７号公報
【特許文献３】特開２００９−２９０９４０号公報
【発明の概要】
【発明が解決しようとする課題】
【０００８】
上述の如く電費を算出する場合、エンジンが駆動していると、そのエンジンの仕事量や、エンジンの動力の一部が発電電動機（モータジェネレータ）の発電に利用されてバッテリが充電された場合の充電量を算出せねばならないため、電費の算出が煩雑になったり十分な精度が得られなくなる可能性がある。このため、この電費の算出（電費を算出するための情報（電力消費量および走行距離）の取得のみを行う場合も含む）は、エンジン停止状態で車両が走行している場合における電力消費量と、その消費した電力で得られた走行距離とに基づいて行うことが望ましい。
【０００９】
しかしながら、このようにエンジンが停止している際の情報（電力消費量および走行距離）のみによって電費を算出する場合、以下に述べるような不具合が生じる可能性があることを、本願発明の発明者らは見出した。
【００１０】
以下、この不具合について、図１１を用いて具体的に説明する。この図１１は、プラグインハイブリッド車両ＨＶが登坂路を走行した後に降坂路を走行する場合における路面の勾配、および、車両走行中における電費（それぞれのタイミングで電費（走行開始（トリップ開始）からの走行距離を電力消費量で除算した値）が算出されたと仮定した場合の値；上側ほど電費が良好であり、下側ほど電費は悪くなっている）の変化を示している。この電費の変化として図中の実線は、本来得られるべき適正な電費である。
【００１１】
例えば、プラグインハイブリッド車両ＨＶが登坂路を走行する際に、モータの動力とエンジンの動力とを併用している場合、その期間（図中のｔ１）では、エンジンが駆動しているため、電費を算出するための情報（電力消費量および走行距離の情報）は取得しないことになる。つまり、この期間ｔ１での電費は図中に一点鎖線で示すように一定（不変）となる。しかし、この期間ｔ１では、実際には、登坂路を走行することで、単位走行距離あたりの電力消費量は比較的大きく、仮に電力消費量および走行距離の情報を取得して電費を算出したとすれば、その電費は比較的低いものとなる状況である（本来であれば期間ｔ１において実線で示す電費の変化となる）。一方、この登坂路の走行の後、降坂路を走行すると、要求駆動力が低くなることでエンジンが停止するとともにモータの動力は殆ど使用されることなく走行が行われ、且つモータジェネレータの回生動作によって走行用バッテリは充電される状況となる。そして、この期間（図中のｔ２）では、エンジンの停止にともない、電費を算出するための情報（電力消費量および走行距離）を取得しているため、この期間での単位走行距離あたりの電力消費量は比較的小さく、その電費は比較的高いものとして算出されることになる。この期間ｔ２では、図中に一点鎖線で示すように、走行にともなって電費は高くなっていくが、前記登坂路を走行していた際の電費の誤差分（図中のＤ１）を含んでいるため、最終的に得られる電費は、本来算出されるべき値に対して電費が良好となる側に偏差Ｄ１を生じており、走行可能距離（現在の走行用バッテリの蓄電量で走行可能な距離）を正確に求めることができなくなる（走行可能距離を長くする側に誤差が生じる）可能性がある。この誤差は、登坂路を走行した際にエンジンの動力によって高くなった車両の位置エネルギを、降坂路を走行する際に使用したことに起因する。
【００１２】
一方、プラグインハイブリッド車両ＨＶが登坂路を走行する際に、モータの動力のみを使用している場合にあっては、前記期間ｔ１では、エンジンが停止しているため、電費を算出するための情報（電力消費量および走行距離の情報）を取得している。このため、この期間ｔ１での電費は正確に算出される（図中の実線に一致する）。一方、この登坂路の走行の後、降坂路を走行する際に、エンジンが駆動すると、その期間ｔ２では、電費を算出するための情報（電力消費量および走行距離の情報）は取得しないことになる。つまり、この期間ｔ２での電費は図中に二点鎖線で示すように一定（不変）となる。しかし、この期間ｔ２は、実際には、降坂路を走行することで、単位走行距離あたりの電力消費量は比較的小さく、仮に電力消費量および走行距離の情報を取得して電費を算出したとすれば、その電費は比較的高いものとなる状況である（本来であれば期間ｔ２において実線で示す電費の変化となる）。このため、最終的に得られる電費は、本来算出されるべき値に対して電費が悪化する側に偏差Ｄ２を生じており、この場合にも、走行可能距離（現在の走行用バッテリの蓄電量で走行可能な距離）を正確に求めることができなくなる（走行可能距離を短くする側に誤差が生じる）可能性がある。なお、車両ＨＶが降坂路を走行する際にエンジンが駆動する状況としては、例えば、モータジェネレータの回生動作による走行用バッテリの充電にともなって走行用バッテリの入力制限（Ｗｉｎ制限）が生じた場合に、エンジンをモータリングし（電動機によってエンジンを回転させる状態とし）、この電動機によって電力を消費（バッテリから放電）させる状況が挙げられる。
【００１３】
本発明は、かかる点に鑑みてなされたものであり、その目的とするところは、電費の算出精度の向上を図ることができるプラグインハイブリッド車両を提供することにある。
【課題を解決するための手段】
【００１４】
−発明の解決原理−
前記の目的を達成するために講じられた本発明の解決原理は、プラグインハイブリッド車両の電費学習において、内燃機関の駆動時には電費学習のための情報を取得しないことに起因し、内燃機関の駆動時間が比較的長い場合には電費学習に誤差が生じる可能性があるとして、この内燃機関の駆動時間が比較的長い場合には、そのトリップにおける電費学習のための情報を無効にしている。
【００１５】
−解決手段−
具体的に、本発明は、走行用の動力を出力可能な内燃機関および走行用の動力を出力可能な電動機を備え、これら内燃機関および電動機のうち少なくとも一つを走行駆動力源として走行可能であるとともに、蓄電装置に蓄電された電力を使用し前記電動機のみを走行駆動力源として走行した場合における電力消費率を算出することで電力消費率の学習が可能なプラグインハイブリッド車両を前提とする。このプラグインハイブリッド車両に対し、登坂路および降坂路のうち少なくとも一方での走行に対し、その走行にともなって内燃機関が駆動する場合の駆動頻度が、予め設定された所定頻度よりも高い場合には、前記電力消費率の算出値、または、その電力消費率を算出するために取得した情報を無効にする構成としている。
【００１６】
ここで、前記「電動機のみを走行駆動力源として走行した場合」とは、前記ＣＤモードにおいて電動機（走行用モータ）の動力のみで走行する場合である。また、前記ＣＤモードにおいて電動機の動力のみで走行する場合と、前記ＣＳモードにおいて電動機の動力のみで走行する場合との両方を含むことも、本発明の技術的思想の範疇である。さらには、単に、要求駆動力等に応じて、前記電動機のみを走行駆動力源とする走行と、電動機および内燃機関の両方を走行駆動力源とする走行とが切り換えられる車両において、前者の走行であることも、本発明の技術的思想の範疇である。
【００１７】
前記の特定事項により、プラグインハイブリッド車両が登坂路や降坂路を走行する場合に内燃機関が駆動されると、電力消費率の算出値に誤差を招く可能性がある。例えば、内燃機関の駆動中には、電力消費率を算出するための情報を取得しない場合などである。つまり、登坂路の走行中に内燃機関が駆動されて、電力消費率を算出するための情報を取得しない場合には、電力消費率の算出値としては、適正値よりも良好な電力消費率が得られてしまう可能性がある。逆に、降坂路の走行中に内燃機関が駆動されて、電力消費率を算出するための情報を取得しない場合には、電力消費率の算出値としては、適正値よりも悪化した電力消費率が得られてしまう可能性がある。そして、これら誤差は、登坂路や降坂路を走行することに起因して内燃機関が駆動する場合の駆動頻度が高いほど大きくなる。このため、本解決手段では、登坂路および降坂路のうち少なくとも一方での走行にともなって内燃機関が駆動する場合の駆動頻度が、予め設定された所定頻度よりも高い場合には、前記電力消費率の算出値、または、その電力消費率を算出するために取得した情報を無効にし、誤差を含んだ電力消費率の算出値が電力消費率の学習に反映されないようにしている。これにより、電力消費率の学習値を高い精度に維持することができる。
【００１８】
前記電力消費率の学習動作として具体構成には以下のものが挙げられる。つまり、前記蓄電装置は外部電源からの充電が可能となっており、前記電力消費率の学習は、前記蓄電装置に対して外部電源からの充電が行われて車両が走行した後、次に、前記外部電源によって蓄電装置が充電されるまでの期間において、前記電動機のみを走行駆動力源として走行した期間での電力消費量および走行距離に基づいて算出された電力消費率を反映させることにより行われるものとなっている。
【００１９】
つまり、外部電源による蓄電装置の充電完了から、次回の外部電源による蓄電装置の充電開始までの期間を対象として電力消費率（トリップ電費）を算出し、この算出値を学習値に反映させるようにしている。これにより、比較的長い期間（１トリップの期間）を対象として電力消費率の算出値が適正に得られる状況となっているか否か（電力消費率の算出値、または、その電力消費率を算出するために取得した情報を無効にするべきか否か）を判断することができ、その信頼性を高めることができる。
【００２０】
前述の如く求められた電力消費率の学習値の利用形態として具体的には以下のものが挙げられる。つまり、電力消費率の学習値に、前記蓄電装置の蓄電残量を乗算することにより、前記電動機のみを走行駆動力源として走行する場合の走行可能距離を算出するものである。
【００２１】
例えば、このようにして算出された走行可能距離を、車両の運転者に報知するようにすれば、前記電力消費率の学習値を有効に利用することができる。
【００２２】
前記内燃機関が駆動する場合の駆動頻度としては以下のものが挙げられる。先ず、この駆動頻度を内燃機関の駆動積算時間とし、この内燃機関の駆動積算時間が、予め設定された所定積算時間よりも長い場合に、前記電力消費率の算出値、または、その電力消費率を算出するために取得した情報を無効にするものである。
【００２３】
また、前記駆動頻度を１トリップ中（例えば、前述した如く、蓄電装置に対して外部電源からの充電が行われて車両が走行した後、次に、外部電源によって蓄電装置が充電されるまでの期間）における総走行時間に対する内燃機関の駆動積算時間の割合とし、この内燃機関の駆動積算時間の割合が、予め設定された所定割合よりも大きい場合に、前記電力消費率の算出値、または、その電力消費率を算出するために取得した情報を無効にするものである。
【００２４】
さらに、前記駆動頻度を内燃機関の駆動回数とし、この内燃機関の駆動回数が、予め設定された所定回数よりも多い場合に、前記電力消費率の算出値、または、その電力消費率を算出するために取得した情報を無効にするものである。
【００２５】
特に、駆動頻度を、内燃機関の駆動積算時間とした場合や内燃機関の駆動回数とした場合には、トリップ中に、前記電力消費率の算出値、または、その電力消費率を算出するために取得した情報を無効にすることが判定できるため、その後は、この情報を取得する必要がなくなり、無駄な情報取得動作を回避することができる。
【００２６】
一方、駆動頻度を、１トリップ中における総走行時間に対する内燃機関の駆動積算時間の割合とした場合には、１トリップの総走行時間が比較的長い場合に、前記電力消費率の算出値、または、その電力消費率を算出するために取得した情報を無効にすべきか否かの判定を適正に行うことができる。つまり、例えば１トリップ中の内燃機関の駆動積算時間が比較的長かったとしても、１トリップの総走行時間が長期に及ぶ場合には、内燃機関の停止期間も長かったことになる（電力消費率を適正に算出できる情報の取得期間が長かったことになる）ので、内燃機関が駆動していたことに起因する誤差は相対的に小さくなる。このため、このような状況では、前記電力消費率の算出値、または、その電力消費率を算出するために取得した情報を無効にはせず、電力消費率を算出して、最新の電力消費率の学習値を取得することが好ましい。このように、１トリップ中における総走行時間に対する内燃機関の駆動積算時間の割合に応じて判断するようにした場合には、前記電力消費率の算出値、または、その電力消費率を算出するために取得した情報を必要以上に無効にしてしまうことがなくなる。
【００２７】
プラグインハイブリッド車両の走行モードとして具体的には、前記電動機の動力のみを走行駆動力源とする走行を優先的に行う第１の走行モードでの走行と、前記電動機および内燃機関の両方の動力を走行駆動力源とする走行を優先的に行う第２の走行モードでの走行とが可能となっている。この場合に、前記電力消費率の学習は、前記第１の走行モードにおいて電動機の動力のみを走行駆動力源として走行した期間における電力消費量および走行距離に基づいて算出された電力消費率を反映させることにより行われる。
【００２８】
また、前記蓄電装置に蓄電されている電力量が所定量以上である場合には前記第１の走行モードでの走行が行われ、前記蓄電装置に蓄電されている電力量が所定量未満である場合には前記第２の走行モードでの走行が行われるようになっている。
【００２９】
このように第１の走行モードのみを対象として電力消費率の学習を行うことにより、電動機の動力のみを走行駆動力源とする走行での電力消費率の学習値が適正に得られ、この学習値によって走行可能距離を算出する場合には、その走行可能距離の算出精度も高めることができる。
【発明の効果】
【００３０】
本発明では、プラグインハイブリッド車両の電力消費率の学習において、登坂路や降坂路の走行にともなって内燃機関が駆動する場合の駆動頻度が高い場合には、電力消費率の算出値、または、その電力消費率を算出するために取得した情報を無効にしている。これにより、誤差を含んだ電力消費率の算出値が電力消費率の学習に反映されないようにすることができ、電力消費率の学習値を高い精度に維持することができる。
【図面の簡単な説明】
【００３１】
【図１】実施形態に係るプラグインハイブリッド車両および外部電源の概略構成を示す図である。
【図２】プラグインハイブリッド車両の制御系の概略構成を示すブロック図である。
【図３】充電ケーブルの先端に設けられたコネクタを示す図である。
【図４】エンジンの動作点を説明するための図である。
【図５】ＣＤモードおよびＣＳモードを説明するための図であって、ＣＤモードとＣＳモードとの間で走行モードが切り換わる場合のＳＯＣの時間的変化の一例を示す図である。
【図６】ＣＤモードおよびＣＳモードの切り換え、および、各モードでのエンジン始動・停止の切り換えを行うためのマップの一例を示す図である。
【図７】第１実施形態における電費学習動作の手順を示すフローチャート図である。
【図８】第１実施形態における各エンジン始動フラグ、学習無効カウンタ、トリップ電費それぞれの変化を示すタイミングチャート図である。
【図９】第２実施形態における各エンジン始動フラグ、学習無効指標、トリップ電費それぞれの変化を示すタイミングチャート図である。
【図１０】第３実施形態における各エンジン始動フラグ、学習無効カウンタ、トリップ電費それぞれの変化を示すタイミングチャート図である。
【図１１】従来技術の課題を説明するための図であって、プラグインハイブリッド車両が登坂路を走行した後に降坂路を走行する場合における路面勾配および車両走行中における電費の変化を示す図である。
【発明を実施するための形態】
【００３２】
以下、本発明の実施の形態を図面に基づいて説明する。本実施形態では、２つのモータジェネレータ（発電電動機）を備え、且つＦＦ（フロントエンジン・フロントドライブ）車として構成されたプラグインハイブリッド車両を例に挙げて説明する。なお、プラグインハイブリッド車両は、走行用バッテリを充電するための充電装置を搭載し、家庭用電源からも充電可能な機能を備えたハイブリッド車両である。以下では、プラグインハイブリッド車両を単にハイブリッド車両という場合もある。
【００３３】
図１は本実施形態に係るプラグインハイブリッド車両１および外部電源ＯＥの概略構成を示す図である。この図１に示すように、プラグインハイブリッド車両１は、前輪（駆動輪）６ａ，６ｂに駆動力を与えるための駆動系として、エンジン２と、エンジン２の出力軸としてのクランクシャフト２ａにダンパ２ｂを介して接続された３軸式の動力分割機構３と、この動力分割機構３に接続された発電可能な第１モータジェネレータＭＧ１と、動力分割機構３に接続された駆動軸としてのリングギヤ軸３ｅにリダクション機構７を介して接続された第２モータジェネレータＭＧ２（本発明でいう電動機）とを備えている。これらクランクシャフト２ａ、動力分割機構３、第１モータジェネレータＭＧ１、第２モータジェネレータＭＧ２、リダクション機構７およびリングギヤ軸３ｅによって動力伝達系が構成されている。
【００３４】
また、前記リングギヤ軸３ｅは、ギヤ機構４および前輪用のデファレンシャルギヤ５を介して前輪６ａ，６ｂに接続されている。
【００３５】
また、このプラグインハイブリッド車両１は、車両の駆動系全体をコントロールするハイブリッド用電子制御ユニット（以下、ハイブリッドＥＣＵ（Ｅｌｅｃｔｒｏｎｉｃ  Ｃｏｎｔｒｏｌ  Ｕｎｉｔ）という）１０を備えている。
【００３６】
−エンジンおよびエンジンＥＣＵ−
エンジン２は、ガソリンまたは軽油などの炭化水素系の燃料により動力を出力する内燃機関であり、エンジン２の運転状態を検出する各種センサから信号を入力するエンジン用電子制御ユニット（以下、エンジンＥＣＵという）１１によって、燃料噴射制御、点火制御、吸入空気量調節制御などの運転制御が行われる。
【００３７】
エンジンＥＣＵ１１は、ハイブリッドＥＣＵ１０と通信を行っており、このハイブリッドＥＣＵ１０からの制御信号に基づいてエンジン２を運転制御するとともに、必要に応じてエンジン２の運転状態に関するデータをハイブリッドＥＣＵ１０に出力する。なお、エンジンＥＣＵ１１は、クランクポジションセンサ５６や水温センサ５７等が接続されている。クランクポジションセンサ５６は、クランクシャフト２ａが一定角度回転する毎に検出信号（パルス）を出力する。このクランクポジションセンサ５６からの出力信号に基づいてエンジンＥＣＵ１１はエンジン回転速度（回転数）Ｎｅを算出する。また、水温センサ５７はエンジン２の冷却水温度に応じた検出信号を出力する。
【００３８】
−動力分割機構−
動力分割機構３は、図１に示すように、外歯歯車のサンギヤ３ａと、このサンギヤ３ａと同心円上に配置された内歯歯車のリングギヤ３ｂと、サンギヤ３ａに噛み合うとともにリングギヤ３ｂに噛み合う複数のピニオンギヤ３ｃと、これら複数のピニオンギヤ３ｃを自転かつ公転自在に保持するプラネタリキャリア３ｄとを備え、サンギヤ３ａとリングギヤ３ｂとプラネタリキャリア３ｄとを回転要素とし差動作用を行う遊星歯車機構として構成されている。この動力分割機構３では、プラネタリキャリア３ｄにエンジン２のクランクシャフト２ａが連結されている。また、サンギヤ３ａに第１モータジェネレータＭＧ１のロータ（回転子）が連結されている。さらに、リングギヤ３ｂに前記リングギヤ軸３ｅを介して前記リダクション機構７が連結されている。
【００３９】
そして、このような構成の動力分割機構３において、プラネタリキャリア３ｄに入力されるエンジン２の出力トルクに対して、第１モータジェネレータＭＧ１による反力トルクがサンギヤ３ａに入力されると、出力要素であるリングギヤ３ｂには、エンジン２から入力されたトルクより大きいトルクが現れる。この場合、第１モータジェネレータＭＧ１は発電機として機能する。第１モータジェネレータＭＧ１が発電機として機能するときには、プラネタリキャリア３ｄから入力されるエンジン２の駆動力が、サンギヤ３ａ側とリングギヤ３ｂ側とにそのギヤ比に応じて分配される。
【００４０】
一方、エンジン２の始動要求時にあっては、第１モータジェネレータＭＧ１が電動機（スタータモータ）として機能し、この第１モータジェネレータＭＧ１の駆動力がサンギヤ３ａおよびプラネタリキャリア３ｄを介してクランクシャフト２ａに与えられてエンジン２がクランキングされる。
【００４１】
また、動力分割機構３において、リングギヤ３ｂの回転速度（出力軸回転速度）が一定であるときに、第１モータジェネレータＭＧ１の回転速度を上下に変化させることにより、エンジン２の回転速度を連続的に（無段階に）変化させることができる。つまり、動力分割機構３が変速部として機能する。
【００４２】
−リダクション機構−
前記リダクション機構７は、図１に示すように、外歯歯車のサンギヤ７ａと、このサンギヤ７ａと同心円上に配置された内歯歯車のリングギヤ７ｂと、サンギヤ７ａに噛み合うとともにリングギヤ７ｂに噛み合う複数のピニオンギヤ７ｃと、これら複数のピニオンギヤ７ｃを自転自在に保持するプラネタリキャリア７ｄとを備えている。このリダクション機構７では、プラネタリキャリア７ｄがトランスミッションケースに固定されている。また、サンギヤ７ａが第２モータジェネレータＭＧ２のロータ（回転子）に連結されている。さらに、リングギヤ７ｂが前記リングギヤ軸３ｅに連結されている。
【００４３】
−パワースイッチ−
プラグインハイブリッド車両１には、ハイブリッドシステムの起動と停止とを切り換えるためのパワースイッチ５１（図２参照）が設けられている。このパワースイッチ５１は、例えば、跳ね返り式のプッシュスイッチあって、押圧操作される毎に、スイッチＯｎとスイッチＯｆｆとが交互に切り替わるようになっている。
【００４４】
ここで、ハイブリッドシステムとは、エンジン２およびモータジェネレータＭＧ１，ＭＧ２を走行用の駆動力源とし、そのエンジン２の運転制御、モータジェネレータＭＧ１，ＭＧ２の駆動制御、エンジン２およびモータジェネレータＭＧ１，ＭＧ２の協調制御などを含む各種制御を実行することによってプラグインハイブリッド車両１の走行を制御するシステムである。
【００４５】
パワースイッチ５１は、ドライバを含む搭乗者により操作された場合に、その操作に応じた信号（ＩＧ−Ｏｎ指令信号またはＩＧ−Ｏｆｆ指令信号）をハイブリッドＥＣＵ１０に出力する。ハイブリッドＥＣＵ１０は、パワースイッチ５１から出力された信号などに基づいてハイブリッドシステムを起動または停止する。
【００４６】
具体的には、ハイブリッドＥＣＵ１０は、プラグインハイブリッド車両１の停車中に、パワースイッチ５１が操作された場合には、後述するＰポジションで前記ハイブリッドシステムを起動する。これにより車両が走行可能な状態となる。なお、停車中のハイブリッドシステムの起動時には、Ｐポジションでハイブリッドシステムが起動されることから、アクセルオン状態であっても、駆動力が出力されることはない。車両が走行可能な状態とは、ハイブリッドＥＣＵ１０の指令信号により車両走行を制御できる状態であって、ドライバがアクセルオンすれば、プラグインハイブリッド車両１が発進・走行できる状態（Ｒｅａｄｙ−Ｏｎ状態）のことである。なお、Ｒｅａｄｙ−Ｏｎ状態には、エンジン２が停止状態で、第２モータジェネレータＭＧ２でプラグインハイブリッド車両１の発進・走行が可能な状態（ＥＶ走行が可能な状態）も含まれる。
【００４７】
また、ハイブリッドＥＣＵ１０は、例えば、ハイブリッドシステムが起動中で、停車時にＰポジションであるときに、パワースイッチ５１が操作（例えば、短押し）された場合にはハイブリッドシステムを停止する。
【００４８】
−モータジェネレータおよびモータＥＣＵ−
モータジェネレータＭＧ１，ＭＧ２は、いずれも、発電機として駆動できるとともに電動機として駆動できる周知の同期発電電動機により構成されており、インバータ２１，２２および昇圧コンバータ２３を介してバッテリ（蓄電装置）２４との間で電力のやりとりを行う。各インバータ２１，２２、昇圧コンバータ２３およびバッテリ２４を互いに接続する電力ライン２５は、各インバータ２１，２２が共用する正極母線および負極母線として構成されており、モータジェネレータＭＧ１，ＭＧ２のいずれかで発電される電力を他のモータで消費することができるようになっている。したがって、バッテリ２４は、モータジェネレータＭＧ１，ＭＧ２のいずれかから生じた電力や不足する電力により充放電されることになる。なお、モータジェネレータＭＧ１，ＭＧ２により電力収支がバランスしている場合には、バッテリ２４は充放電されない。
【００４９】
モータジェネレータＭＧ１，ＭＧ２は、いずれも、モータ用電子制御ユニット（以下、モータＥＣＵという）１３により駆動制御される。このモータＥＣＵ１３には、モータジェネレータＭＧ１，ＭＧ２を駆動制御するために必要な信号、例えばモータジェネレータＭＧ１，ＭＧ２のロータ（回転軸）の各回転位置を検出するＭＧ１回転速度センサ（レゾルバ）２６およびＭＧ２回転速度センサ２７からの信号や電流センサにより検出されるモータジェネレータＭＧ１，ＭＧ２に印加される相電流などが入力されている。また、モータＥＣＵ１３からは、インバータ２１，２２へのスイッチング制御信号が出力されている。例えば、モータジェネレータＭＧ１，ＭＧ２のいずれかを発電機として駆動制御（例えば、第２モータジェネレータＭＧ２を回生制御）したり、電動機として駆動制御（例えば、第２モータジェネレータＭＧ２を力行制御）したりする。また、モータＥＣＵ１３は、ハイブリッドＥＣＵ１０と通信を行っており、このハイブリッドＥＣＵ１０からの制御信号にしたがって前述した如くモータジェネレータＭＧ１，ＭＧ２を駆動制御するとともに、必要に応じてモータジェネレータＭＧ１，ＭＧ２の運転状態に関するデータをハイブリッドＥＣＵ１０に出力する。
【００５０】
−バッテリおよびバッテリＥＣＵ−
バッテリ２４は、複数のバッテリセルを一体化したバッテリモジュールを、さらに複数直列に接続して構成された組電池で成る。バッテリ２４の電圧は、例えば２００Ｖ程度である。バッテリ２４には、第１モータジェネレータＭＧ１および第２モータジェネレータＭＧ２の他、車両外部の外部電源ＯＥから供給される電力が充電可能となっている。なお、バッテリ２４の代わりにもしくは加えてキャパシタを用いるようにしてもよい。
【００５１】
また、バッテリ２４は、バッテリ用電子制御ユニット（以下、バッテリＥＣＵという）１４によって管理されている。このバッテリＥＣＵ１４には、バッテリ２４を管理するのに必要な信号、例えば、バッテリ２４の端子間に設置された電圧センサ２４ａからの端子間電圧、バッテリ２４の出力端子に接続された電力ライン２５に取り付けられた電流センサ２４ｂからの充放電電流、バッテリ２４に取り付けられたバッテリ温度センサ２４ｃからのバッテリ温度Ｔｂなどの信号が入力されており、必要に応じてバッテリ２４の状態に関するデータを通信によりハイブリッドＥＣＵ１０に出力する。
【００５２】
また、バッテリＥＣＵ１４は、バッテリ２４を管理するために、電流センサ２４ｂにて検出された充放電電流の積算値に基づいて電力の残容量ＳＯＣ（Ｓｔａｔｅ  ｏｆ  Ｃｈａｒｇｅ）を演算し、また、その演算した残容量ＳＯＣとバッテリ温度センサ２４ｃにて検出されたバッテリ温度Ｔｂとに基づいてバッテリ２４を充放電してもよい最大許容電力である入力制限Ｗｉｎ，出力制限Ｗｏｕｔを演算する。なお、バッテリ２４の入力制限Ｗｉｎ，出力制限Ｗｏｕｔは、バッテリ温度Ｔｂに基づいて入力制限Ｗｉｎ，出力制限Ｗｏｕｔの基本値を設定し、バッテリ２４の残容量ＳＯＣに基づいて入力制限用補正係数と出力制限用補正係数とを設定し、前記設定した入力制限Ｗｉｎ，出力制限Ｗｏｕｔの基本値に前記補正係数を乗じることにより設定することができる。
【００５３】
なお、前記バッテリＥＣＵ１４が前記ハイブリッドＥＣＵ１０に組み込まれ、これらによってパワーマネージメントＥＣＵが構成されていてもよい。
【００５４】
−充電装置およびプラグインＥＣＵ−
上述した如くプラグインハイブリッド車両１は、家庭用電源等の外部電源ＯＥを利用して前記バッテリ２４の充電が可能となっている。
【００５５】
具体的に、プラグインハイブリッド車両１は、車体の側面等に受電部となるインレット２８を備えている。このインレット２８には、電力供給ライン２８ａを介して充電回路２９が接続されている。
【００５６】
この充電回路２９は、外部電源ＯＥから供給された交流電流を直流電流に変換してバッテリ２４へ供給する。また、この充電回路２９にはプラグインＥＣＵ１５が接続されており、この充電回路２９とプラグインＥＣＵ１５との間で、制御信号や充電状態の信号等が送受信されるようになっている。また、プラグインＥＣＵ１５は、前記ハイブリッドＥＣＵ１０との間でも、制御信号や充電状態の信号等を送受信する。また、プラグインＥＣＵ１５は、ハイブリッドＥＣＵ１０からの制御信号に応じてバッテリ２４に充電される電力量を制御する。
【００５７】
また、前記インレット２８は、外部電源ＯＥに接続された充電ケーブル９の先端に設けられたコネクタ９１が接続可能となっている。このコネクタ９１は、図３に示すように、充電作業時に作業者が把持するハンドル９２を備えていると共に、インレット２８に接続された際に、このインレット２８に係止する係止フック９３を備えている。
【００５８】
前記コネクタ９１の内部には、係止フック９３がインレット２８に係止するのに連動して閉鎖する図示しないスイッチが設けられており、このコネクタ９１が前記インレット２８に接続されると（差し込まれると）、このスイッチが閉鎖するとともに、外部電源ＯＥからの電力が、充電ケーブル９、コネクタ９１、インレット２８、充電回路２９を経てバッテリ２４に給電されるようになっている。また、このようにコネクタ９１がインレット２８に接続されてバッテリ２４の充電が開始されると、前記プラグインＥＣＵ１５が、そのことを検知し、充電開始信号であるコネクタ信号ＣＮＣＴをハイブリッドＥＣＵ１０に出力するようになっている。後述するように、このハイブリッドＥＣＵ１０がコネクタ信号ＣＮＣＴを受信するタイミングが、前回トリップ（前回の充電動作の後に車両が走行した期間（今回の充電までに走行した期間））で積算された電力消費量および走行距離を用いた電費（電力消費率）の算出タイミングおよび学習電費の学習タイミングとなる。
【００５９】
−ハイブリッドＥＣＵおよび制御系−
前記ハイブリッドＥＣＵ１０は、図２に示すように、ＣＰＵ（Ｃｅｎｔｒａｌ  Ｐｒｏｃｅｓｓｉｎｇ  Ｕｎｉｔ）４０、ＲＯＭ（Ｒｅａｄ  Ｏｎｌｙ  Ｍｅｍｏｒｙ）４１、ＲＡＭ（Ｒａｎｄｏｍ  Ａｃｃｅｓｓ  Ｍｅｍｏｒｙ）４２およびバックアップＲＡＭ４３などを備えている。ＲＯＭ４１は、各種制御プログラムや、それら各種制御プログラムを実行する際に参照されるマップ等が記憶されている。ＣＰＵ４０は、ＲＯＭ４１に記憶された各種制御プログラムやマップに基づいて各種の演算処理を実行する。ＲＡＭ４２は、ＣＰＵ４０での演算結果や各センサから入力されたデータ等を一時的に記憶するメモリである。バックアップＲＡＭ４３は、例えばＩＧ−Ｏｆｆ時にその保存すべきデータ等を記憶する不揮発性のメモリである。
【００６０】
以上のＣＰＵ４０、ＲＯＭ４１、ＲＡＭ４２およびバックアップＲＡＭ４３は、バス４６を介して互いに接続されるとともに、入力インターフェース４４および出力インターフェース４５と接続されている。
【００６１】
入力インターフェース４４には、後述するシフト操作装置６０のシフトレバー６１の操作位置等を検出するシフトポジションセンサ５０、前記パワースイッチ５１、アクセルペダルの踏み込み量に応じた信号を出力するアクセル開度センサ５２、ブレーキペダルの踏み込み量に応じた信号を出力するブレーキペダルセンサ５３、車体速度に応じた信号を出力する車速センサ５４等が接続されている。
【００６２】
これにより、ハイブリッドＥＣＵ１０には、シフトポジションセンサ５０からのシフトポジション信号、パワースイッチ５１からのＩＧ−Ｏｎ信号やＩＧ−Ｏｆｆ信号、アクセル開度センサ５２からのアクセル開度信号、ブレーキペダルセンサ５３からのブレーキペダルポジション信号、車速センサ５４からの車速信号等が入力されるようになっている。
【００６３】
ここで前記シフト操作装置６０について簡単に説明する。シフト操作装置６０は、運転席の近傍に配置され、変位操作可能なシフトレバー（シフトノブと呼ぶ場合もある）６１と、押し込み操作可能なＰスイッチ６２と、ハイブリッドシステムの走行モードを手動により切り換え可能とするモード選択スイッチ６３とを備えている。
【００６４】
シフトレバー６１は、前進走行用のドライブレンジ（Ｄレンジ）、アクセルオフ時の制動力（エンジンブレーキ）が大きくなる前進走行用のブレーキレンジ（Ｂレンジ）、後進走行用のリバースレンジ（Ｒレンジ）、中立のニュートラルレンジ（Ｎレンジ）が設定されており、運転者が所望のレンジへシフトレバー６１を変位させることが可能となっている。これらＤレンジ、Ｂレンジ、Ｒレンジ、Ｎレンジの各位置はシフトポジションセンサ５０によって検出される。シフトポジションセンサ５０の出力信号はハイブリッドＥＣＵ１０に入力される。
【００６５】
また、Ｐスイッチ６２は、運転者の押し込み操作によって駐車ポジション（Ｐポジション）を設定するものであり、このＰスイッチ６２の押し込み信号もシフトポジションセンサ５０によって検出される。そして、このＰスイッチ６２の押し込み操作に伴って、ハイブリッドＥＣＵ１０からの指令信号を図示しないパーキングＥＣＵが受け、パーキングロック機構が作動して間接的に前輪６ａ，６ｂをロックする。
【００６６】
また、モード選択スイッチ６３は、バッテリ２４の残容量ＳＯＣが所定量以上である状況において、ハイブリッドシステムの走行モードを「ＣＤモード（ＥＶモードともいう）」と、「ＣＳモード（ＨＶモードともいう）」との間で切り換えるものであり、押し込み操作される毎に、ハイブリッドシステムの走行モードが、ＣＤモード（ＥＶモード）とＣＳモード（ＨＶモード）との間で交互に切り換わるようになっている。このモード選択スイッチ６３の押し込み信号もシフトポジションセンサ５０によって検出される。これらＣＤモード（本発明でいう第１の走行モード）およびＣＳモード（本発明でいう第２の走行モード）については後述する。
【００６７】
一方、入力インターフェース４４および出力インターフェース４５には、前記エンジンＥＣＵ１１、モータＥＣＵ１３、バッテリＥＣＵ１４、プラグインＥＣＵ１５等が接続されており、ハイブリッドＥＣＵ１０は、これらエンジンＥＣＵ１１、モータＥＣＵ１３、バッテリＥＣＵ１４およびプラグインＥＣＵ１５との間で各種制御信号やデータの送受信を行っている。
【００６８】
ハイブリッドＥＣＵ１０は、前記各種センサの出力信号に基づいて、エンジン２のスロットル開度制御（吸入空気量制御）、燃料噴射量制御、および、点火時期制御などを含むエンジン２の各種制御を実行する。また、ハイブリッドＥＣＵ１０は、車速やアクセル開度やバッテリ２４の電力の残容量ＳＯＣ等に応じ、前記ＣＤモードとＣＳモードとを自動的に切り換えてプラグインハイブリッド車両１の走行を行わせるようにする。さらに、ハイブリッドＥＣＵ１０は、後述する電費算出のための情報取得動作、これら情報を使用した電費算出動作、および、電費学習動作も実行する。
【００６９】
−ハイブリッドシステムにおける駆動力の流れ−
次に、本プラグインハイブリッド車両１での駆動力の流れについて説明する。この駆動力の流れは、基本的には、前記ＣＤモードおよびＣＳモードの何れにおいても共通であるので、ここでは各モードを区別することなく説明する。
【００７０】
プラグインハイブリッド車両１は、ドライバによるアクセルペダルの踏み込み量に対応するアクセル開度Ａｃｃと車速Ｖとに基づいて、駆動輪６ａ，６ｂに出力すべきトルク（要求トルク）を計算し、この要求トルクに対応する要求駆動力により走行するように、エンジン２とモータジェネレータＭＧ１，ＭＧ２とが運転制御される。具体的には、燃料消費量の削減を図るために、要求駆動力が比較的低い運転領域にあっては、第２モータジェネレータＭＧ２を利用して前記要求駆動力が得られるようにする。一方、要求駆動力が比較的高い運転領域にあっては、第２モータジェネレータＭＧ２を利用すると共に、エンジン２を駆動し、これら駆動力源（走行駆動力源）からの駆動力により、前記要求駆動力が得られるようにする。
【００７１】
より具体的には、車両の発進時や低速走行時等であってエンジン２の運転効率が低い場合には、第２モータジェネレータＭＧ２のみにより走行を行う。
【００７２】
一方、エンジン２の駆動力と第２モータジェネレータＭＧ２の駆動力とを併用する時には、例えば前記動力分割機構３によりエンジン２の駆動力を２経路に分け（トルクスプリット）、その一方の駆動力で駆動輪６ａ，６ｂの直接駆動（直達トルクによる駆動）を行い、他方の駆動力で第１モータジェネレータＭＧ１を駆動して発電を行う。このとき、第１モータジェネレータＭＧ１の駆動により発生する電力で第２モータジェネレータＭＧ２を駆動して駆動輪６ａ，６ｂの駆動補助を行う（電気パスによる駆動）。
【００７３】
このように、前記動力分割機構３が差動機構として機能し、その差動作用によりエンジン２からの動力の主部を駆動輪６ａ，６ｂに機械的に伝達し、そのエンジン２からの動力の残部を第１モータジェネレータＭＧ１から第２モータジェネレータＭＧ２への電気パスを用いて電気的に伝達することにより、電気的に変速比が変更される電気式無段変速機としての機能が発揮される。これにより、駆動輪６ａ，６ｂ（リングギヤ軸３ｅ）の回転速度およびトルクに依存することなく、エンジン回転速度およびエンジントルクを自由に操作することが可能となり、駆動輪６ａ，６ｂに要求される駆動力を得ながらも、燃料消費率が最適化されたエンジン２の運転状態（後述する最適燃費動作ライン上の運転状態）を得ることが可能となる。
【００７４】
具体的に、図４を用いて説明する。この図４は横軸をエンジン回転速度とし、縦軸をエンジントルクとしたエンジン２の動作点を表す図である。図中の実線は最適燃費動作ラインであって、前述した動力分割機構３を利用した電気的変速機能によって、エンジン２を、この最適燃費動作ライン上の運転状態に制御することが可能となっている。具体的には、アクセル開度等に応じて決定される要求パワーライン（図中に二点鎖線で示すライン）と、前記最適燃費動作ラインとの交点(図中の点Ａ)をエンジン２の目標動作点（目標運転点）としてハイブリッドシステムが制御されることになる。
【００７５】
また、高速走行時には、さらにバッテリ２４からの電力を第２モータジェネレータＭＧ２に供給し、この第２モータジェネレータＭＧ２の出力を増大させて駆動輪６ａ，６ｂに対して駆動力の追加（駆動力アシスト；力行）を行う。
【００７６】
さらに、減速時には、第２モータジェネレータＭＧ２が発電機として機能して回生発電を行い、回収した電力をバッテリ２４に蓄える。なお、バッテリ２４の充電量（前記残容量；ＳＯＣ）が低下し、充電が特に必要な場合には、エンジン２の出力を増加して第１モータジェネレータＭＧ１による発電量を増やしてバッテリ２４に対する充電量を増加する（主にＣＳモードでの動作）。また、低速走行時においても必要に応じてエンジン２の出力を増加する制御を行う場合もある。例えば、前述のようにバッテリ２４の充電が必要な場合や、エアコンディショナ等の補機を駆動する場合や、エンジン２の冷却水の温度を所定温度まで上げる場合などである。
【００７７】
また、本実施形態のプラグインハイブリッド車両１においては、車両の運転状態やバッテリ２４の状態によって、燃費を向上させるために、エンジン２を停止させる。そして、その後も、プラグインハイブリッド車両１の運転状態やバッテリ２４の状態を検知して、エンジン２を再始動させる。このように、プラグインハイブリッド車両１においては、パワースイッチ５１がＯＮ位置であってもエンジン２は間欠運転（エンジン停止と再始動とを繰り返す運転）される。
【００７８】
−ＣＤモードおよびＣＳモード−
次に、図５および図６を用いて、ＣＤ（ＥＶ）モードおよびＣＳ（ＨＶ）モードについて説明する。ＣＤモードおよびＣＳモードのうちいずれのモードを選択するかは、前記ハイブリッドＥＣＵ１０が、バッテリ２４の残容量ＳＯＣに応じて決定する。具体的には、バッテリ２４の残容量ＳＯＣが所定量（閾値；例えば充電可能電力総量に対して２５％）以上である場合にはＣＤモードが選択され、第２モータジェネレータＭＧ２の動力のみでの走行を優先的に行うモードとなる。一方、バッテリ２４の残容量ＳＯＣが前記所定量（閾値）未満となった場合にはＣＳモードが選択され、エンジン２および第２モータジェネレータＭＧ２の両方の動力を用いた走行を優先的に行うモードとなる。
【００７９】
具体的には、図５（ＣＤモードとＣＳモードとの間で走行モードが切り換わる場合のＳＯＣの時間的変化の一例を示す図）のように、ＣＤモードでの走行が継続され、バッテリ２４の残容量ＳＯＣが所定量（閾値）未満になると、ＣＳモードに切り換えられる（図中のタイミングＴＡ）。そして、このＣＳモードでは、エンジン２および第２モータジェネレータＭＧ２の両方の動力を用いた走行を優先的に行うことで、残容量ＳＯＣが更に低下してしまうことを抑制している。また、このＣＳモードでの走行中に、第２モータジェネレータＭＧ２の回生動作等によって残容量ＳＯＣが所定量（図中のＣＤモード復帰値）まで増加するとＣＤモードに復帰されることになる（図中のタイミングＴＢ）。このように、バッテリ２４の残容量ＳＯＣに応じ、ハイブリッドＥＣＵ１０が、走行モードをＣＤモードとＣＳモードとの間で切り換える。
【００８０】
また、バッテリ２４の残容量ＳＯＣが比較的多い場合（例えば、前記閾値以上である場合）には、ドライバによる前記モード選択スイッチ６３の手動操作によってＣＤモードおよびＣＳモードの選択が可能となる。
【００８１】
これらＣＤモードおよびＣＳモードでは、いずれも第２モータジェネレータＭＧ２の動力のみでの走行を行う走行状態と、エンジン２および第２モータジェネレータＭＧ２の両方の動力を用いて走行を行う走行状態とが存在する。そして、これらＣＤモードとＣＳモードとは、エンジン２を始動させる要求パワーが異なっている。具体的には、ＣＤモードにおいてエンジン２を始動させる要求パワーは、ＣＳモードにおいてエンジン２を始動させる要求パワーよりも大きな値に設定されている。このため、同一要求パワー（同一アクセル開度）であっても、ＣＤモードにある場合にはエンジン２は始動せず、ＣＳモードにある場合にはエンジン２が始動する場合がある。
【００８２】
図６は、ＣＤモードおよびＣＳモードの切り換え、および、各モードでのエンジン始動・停止の切り換えを行うためのマップの一例を示している。この図６に示すように、アクセル開度等によって設定される要求パワー（エンジン回転数とエンジントルクとの積として表される）として、ＣＤモードでのエンジン始動パワーラインとＣＳモードでのエンジン始動パワーラインとがそれぞれ設定されており、ＣＤモードでのエンジン始動パワーラインの方がＣＳモードでのエンジン始動パワーラインよりも高パワー側に設定されている。例えばＣＤモードでのエンジン始動パワーラインは４０ｋＷであり、ＣＳモードでのエンジン始動パワーラインは２０ｋＷである。これら値はこれに限定されるものではなく、適宜設定される。
【００８３】
このため、バッテリ２４の残容量ＳＯＣが所定量（閾値）以上であってＣＤモードで走行している場合、アクセル開度（図中の破線を参照）等によって設定される要求パワーが、このＣＤモードでのエンジン始動パワーラインよりも低い場合には、第２モータジェネレータＭＧ２の動力のみでの走行（エンジン停止）が行われる一方、アクセル開度等によって設定される要求パワーが、このＣＤモードでのエンジン始動パワーラインよりも高い場合には、エンジン２および第２モータジェネレータＭＧ２の両方の動力を用いた走行が行われることになる。なお、このＣＤモードでのエンジン始動パワーラインよりも高い運転領域は比較的限られた運転領域（全開加速時（ＷＯＴ時）など）であるため、このＣＤモードでは、第２モータジェネレータＭＧ２の動力のみでの走行（エンジン停止）が優先的に行われることになる。
【００８４】
同様に、バッテリ２４の残容量ＳＯＣが所定量（閾値）未満であってＣＳモードで走行している場合、アクセル開度（図中の破線を参照）等によって設定される要求パワーが、このＣＳモードでのエンジン始動パワーラインよりも低い場合には、第２モータジェネレータＭＧ２の動力のみでの走行（エンジン停止）が行われる一方、アクセル開度等によって設定される要求パワーが、このＣＳモードでのエンジン始動パワーラインよりも高い場合には、エンジン２および第２モータジェネレータＭＧ２の両方の動力を用いた走行が行われることになる。なお、このＣＳモードでのエンジン始動パワーラインよりも低い運転領域は比較的限られた運転領域（アイドリング運転時や軽負荷運転時など）であるため、このＣＳモードでは、エンジン２および第２モータジェネレータＭＧ２の両方の動力を用いた走行が優先的に行われることになる。なお、このＣＳモードでの走行中にあっては、要求パワーが、ＣＳモードでのエンジン始動パワーラインよりも低い場合であっても、バッテリ２４の残容量ＳＯＣが更に低下した場合（前記所定量（閾値）からの偏差が所定量以上となるまで低下した場合）には、バッテリ２４の充電（第１モータジェネレータＭＧ１の回生運転による充電）のためにエンジン２を始動させることになる。
【００８５】
このようにして、ＣＤモードでは、可能な限りエンジン２を停止し、第２モータジェネレータＭＧ２の駆動力のみでプラグインハイブリッド車両１が走行するように制御されることで、燃料消費率の改善を図る。一方、ＣＳモードでは、ＣＤモードに比べてエンジン２が駆動する頻度が高くなり、エンジン２および第２モータジェネレータＭＧ２の両方を用いて効率よくプラグインハイブリッド車両１が走行するように制御され、要求パワーを満たしながらも、バッテリ２４の残容量ＳＯＣの低下を抑制する。なお、このＣＳモードでの走行中にバッテリ２４の残容量ＳＯＣが多くなり（第２モータジェネレータＭＧ２の回生動作等によって残容量ＳＯＣが多くなり）、残容量ＳＯＣが所定量（上述したＣＤモード復帰値）以上となった場合には、ＣＤモードに復帰され、エンジン始動パワーラインが、ＣＳモードでのエンジン始動パワーラインからＣＤモードでのエンジン始動パワーラインに切り換えられることになる。
【００８６】
−電費学習の基本動作−
本実施形態に係るプラグインハイブリッド車両１は、前記ＣＤモードで走行している場合における単位電力量あたりの走行距離を電費として学習するようになっている。そして、この学習電費に、バッテリ２４の蓄電量ＳＯＣ（ＣＳモードに移行される所定値に達するまで使用可能な蓄電量）を乗算することによって走行可能距離（第２モータジェネレータＭＧ２の駆動力のみで走行が可能な距離）が算出され、この走行可能距離をメータパネル上に表示するようになっている。
【００８７】
この電費学習の基本動作について以下に説明する。この電費学習は、１トリップ（バッテリ２４が外部電源ＯＥにより充電されて車両１が走行を開始した後、再び外部電源ＯＥにより充電されるまでの期間）における電費（以下、「トリップ電費」という場合もある）の算出を行い、この算出したトリップ電費を、過去に学習された学習電費に反映させることで行われる。
【００８８】
つまり、前記コネクタ９１がインレット２８に接続されてバッテリ２４が充電され（この際、ハイブリッドＥＣＵ１０がプラグインＥＣＵ１５から前記コネクタ信号ＣＮＣＴを受信することで充電が開始されたことを認識する）、その後に、前記パワースイッチ５１がＯＮされた時点から、１トリップ（今回トリップ）のトリップ電費の算出動作が開始される。具体的には、プラグインハイブリッド車両１の走行が開始され、ＣＤモードで走行している場合であって、エンジン２が停止している期間中（第２モータジェネレータＭＧ２の駆動力のみで走行している期間中）における電力消費量および走行距離を積算していく。この電力消費量は、前記電流センサ２４ｂによって検出された充放電電流等の情報に基づいて前記バッテリＥＣＵ１４が演算し、その演算信号がハイブリッドＥＣＵ１０に送信される。また、走行距離は、前記車速センサ５４からの信号に基づいてハイブリッドＥＣＵ１０が算出する。
【００８９】
また、この電力消費量および走行距離の積算は、走行モードがＣＳモードに切り換わっている期間中や、ＣＤモードであってもエンジン２が駆動している期間中には一時的に停止される。
【００９０】
そして、このようにして積算した電力消費量および走行距離を記憶しておき、トリップの終了後、次回の充電時（前記コネクタ９１がインレット２８に接続された際；ハイブリッドＥＣＵ１０が前記コネクタ信号ＣＮＣＴを受信した際）に、前記記憶していた走行距離を電力消費量（バッテリ２４の充電可能電力総量に対して実際に消費された電力量の比率）で除算することにより、前回の走行（前回トリップ）でのトリップ電費（ｋｍ／％）を算出する。
【００９１】
そして、このようにして求めたトリップ電費を、過去の電費学習動作によって学習した学習電費（ｋｍ／％）に反映させることで、学習電費を更新する。そして、次回のＣＤモードでの走行時には、この学習電費にバッテリ２４の蓄電量ＳＯＣ（ＣＳモードに移行される所定値に達するまで使用可能な蓄電量）を乗算することによって走行可能距離を算出し、この走行可能距離をメータパネル上に表示する。この次回のＣＤモードでの走行時にあっては、バッテリ２４の蓄電量ＳＯＣの変化に伴い走行可能距離（メータパネル上の表示）も変化していく。例えば、走行用エネルギとして電力が消費されて蓄電量ＳＯＣが低下した場合には走行可能距離は短くなる。逆に、第２モータジェネレータＭＧ２の回生動作等によってバッテリ２４が充電され、蓄電量ＳＯＣが上昇した場合には走行可能距離は長くなる。
【００９２】
また、前回のトリップに対して求められたトリップ電費を、過去の電費学習動作によって学習した学習電費に反映させて最新の学習電費を算出する手法としては種々のものが考えられる。本実施形態では、１／１５なまし処理によって最新の学習電費を学習するようにしている。つまり、過去の電費学習動作によって学習した学習電費をＲＥａとし、前回のトリップに対して求められたトリップ電費をＲＥｂとし、最新の学習電費をＲＥｃとした場合には、以下の式（１）によって最新の学習電費をＲＥｃが算出される。
【００９３】
ＲＥｃ＝（１４×ＲＥａ／１５）＋（ＲＥｂ／１５）      …（１）
なお、この演算式は、バッテリ２４の満充電（例えばＳＯＣ９０％）からＣＤモードでの走行が可能な下限蓄電量ＳＯＣ（例えば２５％）まで電力が消費された場合の式である。このため、実際の電力消費量が、この場合（上述の場合には６５％）よりも少ないときには、その比率に応じて前回トリップに対して求められたトリップ電費の影響度も低く設定されて最終学習電費（最新の学習電費）が求められることになる。なお、前記満充電の値や下限蓄電量ＳＯＣの値は、これらに限定されるものではない。
【００９４】
−エンジン駆動に応じた電費学習動作−
次に、本実施形態の特徴とする動作であるエンジン駆動に応じた電費学習動作について説明する。この電費学習動作では、上述した電費学習の基本動作にしたがって学習電費を学習している状況において、前記ＣＤモード中におけるエンジン２の駆動状況（駆動頻度；下記の第１実施形態では駆動時間、第２実施形態では駆動時間割合、第３実施形態では駆動回数）に応じて今回トリップのトリップ電費を有効とするか無効とするか（実際にはトリップ中に取得された情報（電力消費量および走行距離）を有効とするか無効とするか）を切り換えるものである。以下、各実施形態について説明する。
【００９５】
（第１実施形態）
本実施形態は、ＣＤモード中におけるエンジン２の駆動時間が所定時間以上となった場合には、このエンジン２の駆動時間中に電力消費量および走行距離の情報を取得しなかったとしても、得られるトリップ電費には誤差が生じている可能性があるとして、そのトリップ電費を無効にする（取得した電力消費量および走行距離の情報を無効にする）ものである。
【００９６】
以下、図７のフローチャートに沿って、エンジン駆動に応じた電費学習の具体的な動作について説明する。この図７に示すフローチャートは、１トリップ中における電力消費量および走行距離の積算動作を示している。つまり、このフローチャートにしたがって電力消費量および走行距離の情報が有効と判断された場合に、これら情報を前記バックアップＲＡＭ４３に記憶しておき、次回の外部電源ＯＥによる充電時（プラグイン充電時）に、前述したトリップ電費の算出および学習電費の学習が行われることになる。また、この図７に示すフローチャートは、プラグインハイブリッド車両１の走行中、所定時間毎（例えば数ｍｓｅｃ毎）に繰り返し実行される。
【００９７】
先ず、ステップＳＴ１において、プラグインハイブリッド車両１の現在の走行モードがＣＤモードであるか否かを判定する。この判定は、前記バッテリ２４の蓄電量ＳＯＣが前記閾値以上であるか否かによって判定される。
【００９８】
走行モードがＣＤモードではなく、ステップＳＴ１でＮＯ判定された場合、つまり、ＣＳモードである場合には電費学習を実行することなく（エンジン２および第２モータジェネレータＭＧ２の両方の動力を用いた走行が優先的に行われるため、電費学習を行うことなく）リターンされる。
【００９９】
走行モードがＣＤモードであり、ステップＳＴ１でＹＥＳ判定されると、ステップＳＴ２に移り、パワー用件によるエンジン始動フラグ（要求パワーを満たすためにエンジン２が始動された場合にＯＮされるフラグ）ｆＰｏｗｅｒ、トルク用件によるエンジン始動フラグ（要求トルクを満たすためにエンジン２が始動された場合にＯＮされるフラグ）ｆＴｏｒｑｕｅ、Ｗｉｎ超過防止要求によるエンジン始動フラグ（前記Ｗｉｎ制限が生じたことでエンジン２をモータリングさせるべく第１モータジェネレータＭＧ１を駆動させた場合にＯＮされるフラグ）ｆＷｉｎがともにＯＦＦであるか否かを判定する。
【０１００】
前記パワー用件によるエンジン始動フラグｆＰｏｗｅｒおよびトルク用件によるエンジン始動フラグｆＴｏｒｑｕｅは、一般的には、登坂路の走行時にＯＮされるため、これらフラグのうち少なくとも一方がＯＮである場合には、現在、登坂路の走行中であると見なすことができ、これらフラグがともにＯＦＦである場合には、現在、降坂路の走行中または勾配の比較的小さい路面の走行中であると見なすことができる。
【０１０１】
また、Ｗｉｎ超過防止要求によるエンジン始動フラグｆＷｉｎは、一般的には、降坂路の走行が継続された場合にＯＮ（Ｗｉｎ制限が開始されることでＯＮ）されるため、このフラグがＯＮである場合には、現在、降坂路の走行中であると見なすことができ、このフラグがＯＦＦである場合には、現在、登坂路の走行中または勾配の比較的小さい路面の走行中であると見なすことができる。
【０１０２】
このため、これらエンジン始動フラグｆＰｏｗｅｒ，ｆＴｏｒｑｕｅ，ｆＷｉｎがともにＯＦＦである場合には、現在、勾配の比較的小さい路面の走行中であると見なすことができることになる。
【０１０３】
走行モードがＣＤモードであり、且つ、アクセル開度が所定開度以下である場合（図６で示したＣＤモードでのエンジン始動パワーライン以下の運転領域である場合）や、Ｗｉｎ制限が生じていない場合には、エンジン始動（第１モータジェネレータＭＧ１の駆動によりクランクシャフト２ａを回転させる場合を含む）要求は生じておらず、前記各フラグはともにＯＦＦとなっているため、ステップＳＴ２でＹＥＳ判定されてステップＳＴ３に移る。
【０１０４】
ステップＳＴ３では、現在、エンジン２は停止中であるか否かを判定する。つまり、前記各エンジン始動フラグｆＰｏｗｅｒ，ｆＴｏｒｑｕｅ，ｆＷｉｎがともにＯＦＦであったとしても、他の要求（例えば、エンジン２の暖機要求や、バッテリ２４の蓄電量ＳＯＣが低い場合の充電要求）によってエンジン２が駆動している可能性があるので、何れの要求もなく、エンジン２は停止している状態であるか否かをステップＳＴ３で判定する。
【０１０５】
エンジン２が駆動している場合には、ステップＳＴ３でＮＯ判定され、トリップ電費算出のための情報（電力消費量および走行距離）の取得を行うことなくリターンされる。これは、従来と同様に、エンジン２の駆動中にはトリップ電費算出のための情報を取得しない動作である。
【０１０６】
一方、エンジン２が停止中であり、ステップＳＴ３でＹＥＳ判定された場合には、ステップＳＴ４に移り、今回のルーチンにおける電力消費量および走行距離の情報（トリップ電費算出のための情報）を取得し、今回トリップの電力消費量および走行距離を積算する。
【０１０７】
具体的には、前回ルーチンまでの電力消費量の積算値をＳＯＣｉ（トリップ開始時点では「０」）とし、今回ルーチンで取得された電力消費量（前回ルーチンでの蓄電量ＳＯＣに対する今回ルーチンでの蓄電量ＳＯＣの減少量）をΔＳＯＣとした場合、下記の式（２）によって電力消費量の積算値ＳＯＣｉが更新されることになる。
【０１０８】
ＳＯＣｉ←ＳＯＣｉ＋ΔＳＯＣ      …（２）
また、前回ルーチンまでの走行距離の積算値をｄｉｓｉ（トリップ開始時点では「０」）とし、今回ルーチンで取得された走行距離（前回ルーチンでの走行距離に対する今回ルーチンでの走行距離の増加量）をΔｄｉｓとした場合、下記の式（３）によって走行距離の積算値ｄｉｓｉが更新されることになる。
【０１０９】
ｄｉｓｉ←ｄｉｓｉ＋Δｄｉｓ      …（３）
このようにして電力消費量の積算値（ＳＯＣｉ）および走行距離の積算値（ｄｉｓｉ）を更新した後、ステップＳＴ５に移り、パワー用件によるエンジン始動要求（要求パワーを満たすためのエンジン始動要求）、トルク用件によるエンジン始動要求（要求トルクを満たすためにエンジン始動要求）、Ｗｉｎ超過防止要求によるエンジン始動要求（Ｗｉｎ制限が生じたことでエンジン２をモータリングさせるべく第１モータジェネレータＭＧ１を駆動させるエンジン始動要求）のうち少なくとも一つのエンジン始動要求が生じたか否かを判定する。前記パワー用件によるエンジン始動要求およびトルク用件によるエンジン始動要求の判定は、アクセル開度を図６のマップに当て嵌めることにより、運転領域がエンジン駆動領域（要求パワーがＣＤモードでのエンジン始動パワーラインよりも高い領域）にあるか否かを判定することにより行われる。また、Ｗｉｎ超過防止要求によるエンジン始動要求は、第２モータジェネレータＭＧ２の回生状態とバッテリ２４の蓄電量ＳＯＣとを検出することにより判定される。
【０１１０】
何れのエンジン始動要求も生じておらず、ステップＳＴ５でＮＯ判定された場合には、そのままリターンされる。このため、ＣＤモードにおいて何れかのエンジン始動要求が発生するまでは、ステップＳＴ１〜ステップＳＴ５の動作が繰り返され、１回のルーチン毎に電力消費量の積算値（ＳＯＣｉ）および走行距離の積算値（ｄｉｓｉ）が前記式（２），（３）によって更新されていく。このため、エンジン始動要求が発生することなし、トリップが終了し、次回の充電動作が行われた場合には、トリップ電費の算出動作にあっては、この更新された電力消費量の積算値および走行距離の積算値を用いてトリップ電費（直前のトリップでの電費）が算出されることになる。
【０１１１】
一方、パワー用件によるエンジン始動要求、トルク用件によるエンジン始動要求、Ｗｉｎ超過防止要求によるエンジン始動要求のうち少なくとも一つのエンジン始動要求が発生し、ステップＳＴ５でＹＥＳ判定された場合には、ステップＳＴ６に移り、エンジン始動フラグをＯＮすると共に、前記ハイブリッドＥＣＵ１０に備えられた学習無効カウンタのカウントを開始（インクリメント）する。ここでのエンジン始動フラグは、前記パワー用件によるエンジン始動フラグｆＰｏｗｅｒ、トルク用件によるエンジン始動フラグｆＴｏｒｑｕｅ、Ｗｉｎ超過防止要求によるエンジン始動フラグｆＷｉｎであって、要求パワーを満たすためにエンジン２が始動された場合（登坂路の走行にともなうエンジン２の始動）にはパワー用件によるエンジン始動フラグｆＰｏｗｅｒがＯＮされ、要求トルクを満たすためにエンジン２が始動された場合（登坂路の走行にともなうエンジン２の始動）にはトルク用件によるエンジン始動フラグｆＴｏｒｑｕｅがＯＮされ、Ｗｉｎ超過防止のためにエンジン２が始動された場合（降坂路の走行にともなうエンジン２の始動）にはＷｉｎ超過防止要求によるエンジン始動フラグｆＷｉｎがＯＮされることになる。また、学習無効カウンタは所定のカウント値（例えば数十ｓｅｃ）までカウントされるとカウントアップするものとなっている。
【０１１２】
このようにしてエンジン始動フラグがＯＮされるとともに学習無効カウンタのカウントが開始された後、ステップＳＴ７に移り、学習無効カウンタのカウント値が所定値以上に達したか否かを判定する。前記ステップＳＴ６での学習無効カウンタのカウントが開始された直後にあっては、未だ学習無効カウンタのカウント値は所定値に達していないため、このステップＳＴ７ではＮＯ判定され、ステップＳＴ８に移る。
【０１１３】
ステップＳＴ８では、パワー用件によるエンジン始動要求、トルク用件によるエンジン始動要求、Ｗｉｎ超過防止要求によるエンジン始動要求がともに無い（エンジン始動要求が無い）か否かを判定する。
【０１１４】
パワー用件によるエンジン始動要求、トルク用件によるエンジン始動要求、Ｗｉｎ超過防止要求によるエンジン始動要求のうち少なくとも一つが維持されている場合にはステップＳＴ８でＮＯ判定されリターンされる。この場合、前記各エンジン始動要求のうち少なくとも一つが維持されていることで、少なくとも一つのエンジン始動フラグはＯＮとなっているので、ＣＤモードである場合（ステップＳＴ１でＹＥＳ判定されている場合）には、ステップＳＴ２でＮＯ判定され、前記ステップＳＴ７の動作に移る。つまり、ステップＳＴ４における電力消費量および走行距離の情報の取得、および、これらの積算を実行することなく、継続してカウントされている学習無効カウンタのカウント値が所定値以上に達したか否かを判定することになる。つまり、この状態での走行（エンジン２が駆動している状態での走行）をトリップ電費に反映させないように電力消費量および走行距離の情報の取得を行わず、学習無効カウンタのカウントを継続して行い、ステップＳＴ７で、学習無効カウンタのカウント値が所定値以上に達したか否かを判定する。即ち、前記何れかのエンジン始動フラグがＯＮとなっている期間にあっては学習無効カウンタのカウントが継続されていく。
【０１１５】
そして、学習無効カウンタのカウント値が所定値に達する前に（ステップＳＴ７でＹＥＳ判定される前に）、パワー用件によるエンジン始動要求、トルク用件によるエンジン始動要求、Ｗｉｎ超過防止要求によるエンジン始動要求がともに無くなった場合には、ステップＳＴ８でＹＥＳ判定され、ステップＳＴ９に移って、エンジン始動フラグをＯＦＦすると共に、学習無効カウンタのカウントを停止する。この場合、学習無効カウンタのカウント値はリセットされることなく、現時点でのカウント値を維持（保持）することになる。
【０１１６】
このようにしてエンジン始動フラグがＯＦＦされると、次回のルーチンにあっては、走行モードがＣＤモードである（ステップＳＴ１でＹＥＳ判定された）ことを条件として、ステップＳＴ２で再びＹＥＳ判定されることになり、エンジン２が停止しておれば（他の要求によるエンジン２の駆動が行われておらず、ステップＳＴ３でＹＥＳ判定されれば）、ステップＳＴ４において、上述した、今回ルーチンにおける電力消費量（ΔＳＯＣ）および走行距離（Δｄｉｓ）の情報を取得し、電力消費量（ＳＯＣｉ）および走行距離（ｄｉｓｉ）をそれぞれ積算する。つまり、現在、ＣＤモードにおいて第２モータジェネレータＭＧ２の駆動力のみでプラグインハイブリッド車両１が走行しているので、この走行状態での期間を、トリップ電費算出のための情報を取得する期間であるとして電力消費量および走行距離の情報を取得する。このような動作が、再び前記エンジン始動要求（パワー用件によるエンジン始動要求、トルク用件によるエンジン始動要求、Ｗｉｎ超過防止要求によるエンジン始動要求のうち少なくとも一つのエンジン始動要求）が発生するまで（ステップＳＴ５でＹＥＳ判定されるまで）、また、他の要求によってエンジン２の駆動が行われるまで（ステップＳＴ３でＮＯ判定されるまで）継続されることになる。
【０１１７】
一方、パワー用件によるエンジン始動要求、トルク用件によるエンジン始動要求、Ｗｉｎ超過防止要求によるエンジン始動要求のうち少なくとも一つのエンジン始動要求が発生しており、学習無効カウンタのカウント（ルーチン実行毎のインクリメント）が継続している状況において、パワー用件によるエンジン始動要求、トルク用件によるエンジン始動要求、Ｗｉｎ超過防止要求によるエンジン始動要求がともに無くなる前（ステップＳＴ８でＹＥＳ判定される前）に、学習無効カウンタのカウント値が所定値以上に達し、ステップＳＴ７でＹＥＳ判定されると、ステップＳＴ１０に移る。このステップＳＴ１０では、前記学習無効カウンタのカウント値が所定値以上に達したことにともない、電費学習無効動作を実行する。具体的には、前記ステップＳＴ４で算出されていた電力消費量の積算値（ＳＯＣｉ）および走行距離の積算値（ｄｉｓｉ）をともに無効にする（消去する）。これにより、今回のトリップでのトリップ電費の算出は行われず、この電力消費量の積算値および走行距離の積算値は電費学習には反映されないことになる。つまり、今回のトリップでは、エンジン２の駆動時間が比較的長く、エンジン２の駆動時間中に、電力消費量および走行距離の情報を取得しなかったとしても（エンジン２の停止中のみに、電力消費量および走行距離の情報を取得したとしても）、得られるトリップ電費には誤差が生じている可能性があるとして、そのトリップでの情報を無効にし、学習電費には反映しないようにしている。
【０１１８】
その後、ステップＳＴ１１に移り、前記エンジン始動フラグをＯＦＦすると共に、学習無効カウンタをリセットする（カウント値を「０」にする）。
【０１１９】
以上の動作が繰り返されることで、トリップ中におけるエンジン２の駆動時間が所定時間を超えた場合には、そのトリップで取得された電力消費量および走行距離の関係は適切なものではない（トリップ電費に誤差を生じさせる可能性がある）として無効にされることになる。
【０１２０】
図８は、上述したエンジン駆動に応じた電費学習動作における各エンジン始動フラグ、学習無効カウンタ、トリップ電費それぞれの変化を示すタイミングチャート図である。なお、この図８では、エンジン始動フラグとして、上述した「パワー用件によるエンジン始動フラグ」、「トルク用件によるエンジン始動フラグ」および「Ｗｉｎ超過防止によるエンジン始動フラグ」の他に、冷間時などにおけるエンジン２の暖機運転時にＯＮされる「暖機用件によるエンジン始動フラグ」、バッテリ２４の蓄電量ＳＯＣが低い場合に、エンジン２の動力によって第１モータジェネレータＭＧ１での発電を行わせる際にＯＮされる「ＳＯＣ低下によるエンジン始動フラグ」も記載している。そして、これら「暖機用件によるエンジン始動フラグ」および「ＳＯＣ低下によるエンジン始動フラグ」のＯＮ動作によっては学習無効カウンタはインクリメントされないものとなっている。その理由は、これらエンジン始動フラグは路面勾配との相関が無く（または低く）、これらフラグがＯＮであることに起因して前記誤差を生じさせる可能性は低いためである。
【０１２１】
また、前述した如く、トリップ電費は、トリップ終了後の充電時（コネクタ９１がインレット２８に接続された際）に、前記記憶していた走行距離の積算値を電力消費量の積算値で除算することにより算出されるが、図８では、理解を容易にするために、ＣＤモードでの走行中に、トリップ電費（現時点までのトリップ電費）を算出したと仮定した場合の値を最下段にトリップ電費として記載している。以下、ここで示したトリップ電費を「仮想トリップ電費」と呼ぶこととする。
【０１２２】
なお、図８では、図中のタイミングＴ２〜Ｔ５の期間が登坂路の走行時であり、タイミングＴ５〜Ｔ８の期間が降坂路の走行時である。
【０１２３】
バッテリ２４の充電が終了し、トリップが開始されると、先ず、タイミングＴ１において暖機用件によるエンジン始動フラグがＯＮされ、エンジン２が始動される。このため、このタイミングＴ１までの車両走行期間では、エンジン２が停止しており（第２モータジェネレータＭＧ２の駆動力のみで走行しており）電力消費量の積算および走行距離の積算が行われている（前記ステップＳＴ４）。図８では、この期間（タイミングＴ１までの期間）での仮想トリップ電費は車両１の走行にともない高くなっている。
【０１２４】
また、暖機用件によるエンジン始動フラグがＯＮされたタイミングＴ１になると、エンジン２が始動されることにともない電力消費量および走行距離の情報の取得は停止される。このため仮想トリップ電費は一定となっている。また、この場合には、学習無効カウンタはインクリメントされない（前記ステップＳＴ５でＮＯ判定されることで学習無効カウンタはインクリメントされない）。
【０１２５】
そして、タイミングＴ２において、パワー用件によるエンジン始動要求が生じ（前記ステップＳＴ５でＹＥＳ判定）、パワー用件によるエンジン始動フラグがＯＮされている。このエンジン始動フラグのＯＮにともない、学習無効カウンタはカウントを開始することになる（前記ステップＳＴ６）。また、エンジン２の駆動が継続されるため、電力消費量および走行距離の情報の取得は停止されている。また、その後、トルク用件によるエンジン始動要求が生じてトルク用件によるエンジン始動フラグもＯＮされているが（タイミングＴ３）、既に学習無効カウンタはカウントを開始しているため、このトルク用件によるエンジン始動フラグがＯＮされても学習無効カウンタのカウント動作には影響を与えない。
【０１２６】
その後、タイミングＴ４において、パワー用件によるエンジン始動要求が無くなりパワー用件によるエンジン始動フラグがＯＦＦされ、且つ暖機要求も無くなり暖機用件によるエンジン始動フラグもＯＦＦされているが、未だ、トルク用件によるエンジン始動要求が継続しトルク用件によるエンジン始動フラグがＯＮとなっているので、電力消費量および走行距離の情報の取得は停止され、且つ学習無効カウンタのカウントは継続される（前記ステップＳＴ２でＮＯ判定されることで学習無効カウンタのカウントは継続される）。
【０１２７】
タイミングＴ５では、トルク用件によるエンジン始動要求が無くなりトルク用件によるエンジン始動フラグがＯＦＦされている。これにより、パワー用件によるエンジン始動フラグおよびトルク用件によるエンジン始動フラグがともにＯＦＦされることになるので、学習無効カウンタのカウントは停止される（前記ステップＳＴ９）。また、このタイミングＴ５では、暖機用件によるエンジン始動フラグもＯＦＦされており、それにともなってエンジン２が停止するため、電力消費量および走行距離の情報の取得が開始される（前記ステップＳＴ４）。図８では、このタイミングＴ５から後述するタイミングＴ６までの期間では、仮想トリップ電費は車両１の走行にともない高くなっている。
【０１２８】
タイミングＴ６では、降坂路の走行が継続したことに起因してＷｉｎ超過防止要求によるエンジン始動要求が生じ（前記ステップＳＴ５でＹＥＳ判定）、Ｗｉｎ超過防止要求によるエンジン始動フラグがＯＮされている。このエンジン始動フラグのＯＮにともない、学習無効カウンタはカウントを開始することになる（前記ステップＳＴ６）。また、エンジン２が始動されることにともない電力消費量および走行距離の情報の取得は停止され、仮想トリップ電費は一定となる。
【０１２９】
そして、タイミングＴ７において学習無効カウンタのカウント値が所定値に達し（前記ステップＳＴ７でＹＥＳ判定）、電費学習無効動作が実行される（前記ステップＳＴ１０）。つまり、算出されていた電力消費量の積算値および走行距離の積算値を無効にする。図８では、このタイミングＴ７においてトリップ電費は初期値（今回のトリップ開始時点でのトリップ電費）に戻されている。
【０１３０】
その後、タイミングＴ８で、Ｗｉｎ超過防止要求によるエンジン始動要求が無くなり、Ｗｉｎ超過防止要求によるエンジン始動フラグがＯＦＦされるが、既に、今回トリップでは電費学習無効動作が実行されているため、トリップ電費は初期値のまま維持される。
【０１３１】
以上説明したように、本実施形態では、登坂路および降坂路の走行にともなってエンジン２が駆動する場合の駆動頻度が、予め設定された所定頻度よりも高い場合には、トリップ電費を算出するために取得した情報を無効にしている。これにより、誤差を含んだトリップ電費の算出値が電力消費率の学習に反映されることがないようにしている。その結果、電費学習値を高い精度に維持することができる。
【０１３２】
また、本実施形態では、エンジン２の駆動時間が所定時間以上となった場合に電費学習無効動作を実行するようにしている。このため、トリップ中に、電費学習無効動作が実行可能であり（エンジン２の駆動時間が所定時間以上である場合）、その後は、電力消費量および走行距離の情報を取得する必要がなくなる。その結果、無駄な情報取得動作を回避することができる。
【０１３３】
（第２実施形態）
次に、第２実施形態について説明する。本実施形態は、ＣＤモードにおけるエンジン２の駆動時間割合が所定値以上であった場合には、仮に、このエンジン２の駆動時間中に、電力消費量および走行距離の情報を取得しなかったとしても、得られる電費には誤差が生じている可能性があるとして、そのトリップでの電費学習を無効にするものである。
【０１３４】
本実施形態は、前記第１実施形態の学習無効カウンタのカウント値を、トリップ中におけるエンジン２の駆動時間割合に置き換えるものである。つまり、トリップ終了時における、そのトリップの総時間に対するエンジン２の駆動時間（前記パワー用件によるエンジン始動要求にともなうエンジン２の駆動時間、前記トルク用件によるエンジン始動要求にともなうエンジン２の駆動時間、前記Ｗｉｎ超過防止要求によるエンジン始動要求にともなうエンジン２の駆動時間）の割合が所定割合に達しておれば、そのトリップにおいて算出されていた電力消費量の積算値および走行距離の積算値を無効にするものとなっている。
【０１３５】
図９は、本実施形態でのエンジン駆動に応じた電費学習動作における各エンジン始動フラグ、学習無効指標（トリップ中における、登坂路や降坂路の走行に伴うエンジン２の駆動時間割合）、トリップ電費それぞれの変化を示すタイミングチャート図である。なお、ここでは、前記第１実施形態において図８で示したタイミングチャート図との相違点について主に説明する。
【０１３６】
図９のタイミングＴ１１において、パワー用件によるエンジン始動要求が生じ、パワー用件によるエンジン始動フラグがＯＮされている。このエンジン始動フラグのＯＮにともない、学習無効指標は上昇していくことになる。また、電力消費量および走行距離の情報の取得は停止されている。
【０１３７】
タイミングＴ１２では、パワー用件によるエンジン始動要求が無くなりパワー用件によるエンジン始動フラグがＯＦＦされている。ここでは、パワー用件によるエンジン始動フラグおよびトルク用件によるエンジン始動フラグがともにＯＦＦされており、学習無効指標は低下していく。また、このタイミングＴ１２では、暖機用件によるエンジン始動フラグもＯＦＦされており、それにともなってエンジン２が停止するため、電力消費量および走行距離の情報の取得が開始される。図９では、このタイミングＴ１２から後述するタイミングＴ１３までの期間では、仮想トリップ電費は車両１の走行にともない高くなっている。
【０１３８】
タイミングＴ１３では、トルク用件によるエンジン始動要求が生じ、トルク用件によるエンジン始動フラグがＯＮされている。このエンジン始動フラグのＯＮにともない、学習無効指標は上昇していくことになる。また、電力消費量および走行距離の情報の取得は停止される。
【０１３９】
タイミングＴ１４では、トルク用件によるエンジン始動要求が無くなりトルク用件によるエンジン始動フラグがＯＦＦされている。ここでは、パワー用件によるエンジン始動フラグおよびトルク用件によるエンジン始動フラグがともにＯＦＦされており、学習無効指標は低下していく。また、このタイミングＴ１４では、エンジン２が停止しているため、電力消費量および走行距離の情報の取得が開始される。
【０１４０】
そして、トリップが終了した時点での学習無効指標を抽出し、この学習無効指標が所定比率を超えている場合（例えば５０％を超えている場合）には、電費学習無効動作が実行される。つまり、算出されていた電力消費量の積算値および走行距離の積算値を無効にする。図９では、トリップ終了時点での学習無効指標が所定比率を超えていたことにより、トリップが終了した時点でトリップ電費は初期値（今回のトリップ開始時点でのトリップ電費）に戻されている。なお、前記電力消費量の積算値および走行距離の積算値を無効にする閾値である学習無効指標の比率は前記の値には限定されず適宜設定される。
【０１４１】
本実施形態にあっては、１トリップの総走行時間が比較的長い場合に、前記電力消費量の積算値および走行距離の積算値を無効にすべきか否かの判定を適正に行うことができる。つまり、例えば１トリップ中のエンジン２の駆動積算時間が比較的長かったとしても、１トリップの総走行時間が長期に及ぶ場合には、エンジン２の停止期間も長かったことになる（トリップ電費を適正に算出できる情報の取得期間が長かったことになる）ので、エンジン２が駆動していたことに起因する誤差は相対的に小さくなる。このため、このような状況では、前記電力消費量の積算値および走行距離の積算値を無効にはせず、トリップ電費を算出して、最新の電費学習値を学習することが好ましい。このように、１トリップ中におけるエンジン２の駆動時間割合に応じて判断するようにした場合には、前記電力消費量の積算値および走行距離の積算値を必要以上に無効にしてしまうことがなくなる。
【０１４２】
（第３実施形態）
次に、第３実施形態について説明する。本実施形態は、ＣＤモードにおけるエンジン２の駆動回数が所定回数以上であった場合には、このエンジン２の駆動時間中に電力消費量および走行距離の情報を取得しなかったとしても、得られるトリップ電費には誤差が生じている可能性があるとして、そのトリップ電費を無効にする（取得した電力消費量および走行距離の情報を無効にする）ものである。
【０１４３】
本実施形態は、前記第１実施形態の学習無効カウンタのカウント値（時間）を、トリップ中におけるエンジン２の駆動回数に置き換えるものである。つまり、トリップ中におけるエンジン２の駆動回数が所定回数に達した時点で、そのトリップにおいて積算されていた電力消費量および走行距離の積算値を無効にするものとなっている。
【０１４４】
図１０は、本実施形態でのエンジン駆動に応じた電費学習動作における各エンジン始動フラグ、学習無効カウンタ、トリップ電費それぞれの変化を示すタイミングチャート図である。なお、ここでも、前記第１実施形態において図８で示したタイミングチャート図との相違点について主に説明する。
【０１４５】
図１０のタイミングＴ２１において、パワー用件によるエンジン始動要求が生じ、パワー用件によるエンジン始動フラグがＯＮされている。このエンジン始動フラグのＯＮにともない、学習無効カウンタはインクリメントされる。また、電力消費量および走行距離の情報の取得は停止されている。
【０１４６】
また、タイミングＴ２２において、トルク用件によるエンジン始動要求が生じ、トルク用件によるエンジン始動フラグがＯＮされている。この際にも、このエンジン始動フラグのＯＮにともない、学習無効カウンタはインクリメントされる。また、電力消費量および走行距離の情報の取得の停止は継続される。
【０１４７】
タイミングＴ２３では、トルク用件によるエンジン始動要求が無くなりトルク用件によるエンジン始動フラグがＯＦＦされている。また、既に、パワー用件によるエンジン始動要求は無くなっており、パワー用件によるエンジン始動フラグはＯＦＦとなっている。これにともなってエンジン２が停止するため、電力消費量および走行距離の情報の取得が開始される。図１０では、このタイミングＴ２３から後述するタイミングＴ２４までの期間では、仮想トリップ電費は車両１の走行にともない高くなっている。
【０１４８】
タイミングＴ２４では、Ｗｉｎ超過防止要求によるエンジン始動要求が生じ、Ｗｉｎ超過防止要求によるエンジン始動フラグがＯＮされている。このエンジン始動フラグのＯＮにともない、学習無効カウンタはインクリメントされる。
【０１４９】
そして、この学習無効カウンタはインクリメントにより、学習無効カウンタが所定値に達し、電費学習無効動作が実行される。つまり、算出されていた電力消費量の積算値および走行距離の積算値を無効にする。図１０では、このタイミングＴ２４においてトリップ電費は初期値（今回のトリップ開始時点でのトリップ電費）に戻されている。
【０１５０】
本実施形態では、エンジン２の駆動回数が所定回数以上となった場合に電費学習無効動作を実行するようにしている。このため、第１実施形態の場合と同様に、トリップ中に、電費学習無効動作が実行可能であり（エンジン２の駆動回数が所定回数以上である場合）、その後は、電力消費量および走行距離の情報を取得する必要がなくなる。その結果、無駄な情報取得動作を回避することができる。
【０１５１】
−他の実施形態−
以上説明した各実施形態は、ＦＦ（フロントエンジン・フロントドライブ）方式のプラグインハイブリッド車両１の制御に本発明を適用した例を示したが、本発明はこれに限られることなく、ＦＲ（フロントエンジン・リアドライブ）方式のプラグインハイブリッド車両や、４輪駆動方式のプラグインハイブリッド車両の制御にも適用できる。
【０１５２】
また、前記各実施形態では、第１モータジェネレータＭＧ１および第２モータジェネレータＭＧ２の２つの発電電動機が搭載されたプラグインハイブリッド車両１の制御に本発明を適用した例を示したが、１つの発電電動機が搭載されたプラグインハイブリッド車両や３つ以上の発電電動機が搭載されたプラグインハイブリッド車両の制御にも本発明は適用可能である。
【０１５３】
また、前記各実施形態では、走行モードとして、第２モータジェネレータＭＧ２の動力のみでの走行（エンジン停止）が優先的に行われるＣＤモードと、エンジン２および第２モータジェネレータＭＧ２の両方の動力を用いた走行が優先的に行われるＣＳモードが切り換えられるようにしていた。つまり、いずれのモードにおいても、第２モータジェネレータＭＧ２の動力のみでの走行を行う走行状態と、エンジン２および第２モータジェネレータＭＧ２の両方の動力を用いて走行を行う走行状態とが存在するものであった。本発明は、これに限らず、これらモードを有しておらず、単に要求駆動力等に応じて、第２モータジェネレータＭＧ２の動力のみでの走行を行う走行状態と、エンジン２および第２モータジェネレータＭＧ２の両方の動力を用いて走行を行う走行状態とが切り換えられるようにしたプラグインハイブリッド車両に対しても適用可能である。この場合、エンジン２および第２モータジェネレータＭＧ２の両方の動力を用いて走行を行う走行状態の頻度（エンジン２の駆動時間、駆動時間割合、駆動回数）に応じ、所定頻度を超えた場合にトリップ電費を無効とするようにする。
【０１５４】
さらに、前記各実施形態では、エンジン２の駆動頻度が高い場合には、算出されていた電力消費量の積算値および走行距離の積算値を無効にするようにしていた。これは、トリップ中に、電力消費量および走行距離をそれぞれ積算していき、次回の充電開始時にトリップ電費を算出して電費学習を行うようにしたためである。これに代えて、トリップ中に、電力消費量および走行距離をそれぞれ積算していきながら、逐次、トリップ電費を算出するようにした場合にあっては、エンジン２の駆動頻度が高い場合には、算出されているトリップ電費を無効にしたり、トリップ中に学習された電費学習値をトリップ開始前の値に戻したりすることになる。
【０１５５】
また、前記各実施形態では、登坂路の走行に伴うエンジン２の駆動時および降坂路走行に伴うエンジン２の駆動時ともに学習無効カウンタ（学習無効指標）を増加（インクリメント）させるようにしたが、これら登坂路の走行に伴うエンジン２の駆動時および降坂路走行に伴うエンジン２の駆動時の一方に対してのみ本発明を適用することも本発明の技術的思想の範疇である。
【産業上の利用可能性】
【０１５６】
本発明は、プラグインハイブリッド車両における電費を算出し、バッテリの残容量により走行可能距離を算出する制御に適用可能である。
【符号の説明】
【０１５７】
１        プラグインハイブリッド車両
２        エンジン（内燃機関）
１０      ハイブリッドＥＣＵ
１１      エンジンＥＣＵ
１３      モータＥＣＵ
１４      バッテリＥＣＵ
１５      プラグインＥＣＵ
２４      バッテリ（蓄電装置）
２８      インレット
５４      車速センサ
９１      コネクタ
ＭＧ１    第１モータジェネレータ
ＭＧ２    第２モータジェネレータ（電動機）
ＯＥ      外部電源
【図１】
0005712915.tif 000002
【図２】
0005712915.tif 000003
【図３】
0005712915.tif 000004
【図４】
0005712915.tif 000005
【図５】
0005712915.tif 000006
【図６】
0005712915.tif 000007
【図７】
0005712915.tif 000008
【図８】
0005712915.tif 000009
【図９】
0005712915.tif 000010
【図１０】
0005712915.tif 000011
【図１１】
0005712915.tif 000012